(57)【要約】  ＭＩＭＯ送信をサポートする技術が説明されている。ユーザは、ＭＩＭＯ送信のために個々にスケジュールされるユーザの第１のグループ、およびＭＩＭＯ送信のために一緒にスケジュールされることができるユーザの第２のグループに分類される。送信資源は、例えば、各グループ内のユーザ数、ユーザのデータ要件、各グループに対する総負荷、等に基づいて、第１および第２のグループに割り振られる。送信資源は、ハイブリッド自動再送信(ＨＡＲＱ)インターレース、周波数チャネル、時間周波数資源、等であり得る。資源割り振りは半静的であり得る。各グループに割り振られた送信資源は、グループ内のユーザのためのダウンリンクおよび／またはアップリンクにおけるデータ送信に使用される。ブランキングを用いるＨＡＲＱは、第１のグループ内のユーザのためのデータ送信に使用され得る。ブランキングを用いないＨＡＲＱは、第２のグループ内のユーザのためのデータ送信に使用され得る。【選択図】      図９
2009530988.tif 000002
【特許請求の範囲】
【請求項１】
複数入力複数出力(multiple-input multiple-output, MIMO)送信のために個々にスケジュールされるユーザを含むユーザの第１のグループと、ＭＩＭＯ送信のために一緒にスケジュールされることができるユーザを含むユーザの第２のグループとに送信資源を割り振り、各グループに割り振られた前記送信資源を、前記グループ内の前記ユーザのためのデータ送信に使用するように構成された少なくとも１つのプロセッサと、
前記プロセッサに連結されたメモリとを備えている装置。
【請求項２】
前記プロセッサは、前記第１および前記第２のグループを備える複数のグループにユーザを分類するように構成されている請求項１記載の装置。
【請求項３】
前記プロセッサは、前記第１のグループ内の前記ユーザのためのデータ送信に、ブランキングを用いるハイブリッド自動再送信(hybrid automatic retransmission, HARQ)を使用し、前記第２のグループ内の前記ユーザのためのデータ送信に、ブランキングを用いないＨＡＲＱを使用するように構成されている請求項１記載の装置。
【請求項４】
前記第１のグループ内のスケジュールされたユーザを変更するとき、前記プロセッサは送信をブランクにするように構成されている請求項３記載の装置。
【請求項５】
前記送信資源は複数のハイブリッド自動再送信(ＨＡＲＱ)インターレースを備えており、前記プロセッサは、前記複数のＨＡＲＱインターレースの少なくとも１つを前記第１および前記第２のグループの各々に割り振り、各グループに割り振られた前記少なくとも１つのＨＡＲＱインターレースを、前記グループ内の前記ユーザのためのデータ送信に使用するように構成されている請求項１記載の装置。
【請求項６】
前記送信資源は複数の周波数チャネルを備えており、前記プロセッサは、前記第１および前記第２のグループの各々に前記複数の周波数チャネルの少なくとも１つを割り振って、各グループに割り振られた前記少なくとも１つの周波数チャネルを、前記グループ内の前記ユーザのためのデータ送信に使用するように構成されている請求項１記載の装置。
【請求項７】
前記送信資源は時間周波数資源を備えており、前記プロセッサは、前記第１および前記第２のグループに前記時間周波数資源を割り振って、各グループに割り振られた前記時間周波数資源を、前記グループ内の前記ユーザのためのデータ送信に使用するように構成されている請求項１記載の装置。
【請求項８】
前記プロセッサは、各グループ内のユーザ数に基づいて前記第１および前記第２のグループに前記送信資源を割り振るように構成されている請求項１記載の装置。
【請求項９】
前記第１または前記第２のグループ内の前記ユーザ数が閾値を越えると、前記プロセッサは、前記第１および前記第２のグループに前記送信資源を再び割り振るように構成されている請求項８記載の装置。
【請求項１０】
前記第１のグループ内の前記ユーザ数および前記第２のグループ内の前記ユーザ数の両者が閾値を越えると、前記プロセッサは、前記第１および前記第２のグループに前記送信資源を再び割り振るように構成されている請求項８記載の装置。
【請求項１１】
前記プロセッサは、各グループ内の前記ユーザのデータ要件に基づいて前記第１および前記第２のグループに前記送信資源を割り振るように構成されている請求項１記載の装置。
【請求項１２】
前記プロセッサは、前記第１のグループ内の前記ユーザの総負荷と前記第２のグループ内の前記ユーザの総負荷とに基づいて前記第１および前記第２のグループに前記送信資源を割り振るように構成されている請求項１記載の装置。
【請求項１３】
前記第１および前記第２のグループへの送信資源の前記割り振りは、半静的である請求項１記載の装置。
【請求項１４】
前記プロセッサは、ユーザの前記第１のグループに割り振られた送信資源の情報を前記第１のグループ内の各ユーザに伝え、ユーザの前記第２のグループに割り振られた送信資源の情報を前記第２のグループ内の各ユーザに伝えるように構成されている請求項１記載の装置。
【請求項１５】
前記プロセッサは、各グループ内のユーザに、前記グループに割り振られた前記送信資源を使用して、データを送信するように構成されている請求項１記載の装置。
【請求項１６】
前記プロセッサは、各グループ内のユーザから、前記グループに割り振られた前記送信資源によって、データを受信するように構成されている請求項１記載の装置。
【請求項１７】
前記プロセッサは、前記第１のグループに割り振られた前記送信資源を使用して一度に前記第１のグループ内の１ユーザにＭＩＭＯ送信を送り、前記第２のグループに割り振られた前記送信資源を使用して一度に前記第２のグループ内の複数のユーザにＭＩＭＯ送信を送るように構成されている請求項１記載の装置。
【請求項１８】
複数入力複数出力(ＭＩＭＯ)送信のために個々にスケジュールされるユーザを含むユーザの第１のグループと、ＭＩＭＯ送信のために一緒にスケジュールされることができるユーザを含む第２のグループとに送信資源を割り振ることと、
各グループに割り振られた前記送信資源を、前記グループ内の前記ユーザのためのデータ送信に使用することとを備えている方法。
【請求項１９】
前記第１のグループ内の前記ユーザのためのデータ送信にブランキングを用いるハイブリッド自動再送信(ＨＡＲＱ)を使用することと、
前記第２のグループ内の前記ユーザのためのデータ送信にブランキングを用いないＨＡＲＱを使用することとをさらに備えている請求項１８記載の方法。
【請求項２０】
前記送信資源は複数のハイブリッド自動再送信(ＨＡＲＱ)インターレースを備えており、前記送信資源を前記割り振ることは、前記複数のＨＡＲＱインターレースの少なくとも１つを前記第１および前記第２のグループの各々に割り振ることを備えており、前記送信資源を前記使用することは、各グループに割り振られた前記少なくとも１つのＨＡＲＱインターレースを、前記グループ内の前記ユーザのためのデータ送信に使用することを備えている請求項１８記載の方法。
【請求項２１】
前記送信資源を前記割り振ることは、各グループ内のユーザ数、各グループ内の前記ユーザのデータ要件、および各グループ内の前記ユーザの総負荷、またはその組合せに基づいて、前記第１および前記第２のグループに前記送信資源を割り振ることを備えている請求項１８記載の方法。
【請求項２２】
複数入力複数出力(ＭＩＭＯ)送信のために個々にスケジュールされるユーザを含むユーザの第１のグループと、ＭＩＭＯ送信のために一緒にスケジュールされることができるユーザを含むユーザの第２のグループとに送信資源を割り振る手段と、
各グループに割り振られた前記送信資源を、前記グループ内の前記ユーザのためのデータ送信に使用する手段とを備えている装置。
【請求項２３】
前記第１のグループ内の前記ユーザのためのデータ送信にブランキングを用いるハイブリッド自動再送信(ＨＡＲＱ)を使用する手段と、
前記第２のグループ内の前記ユーザのためのデータ送信にブランキングを用いないＨＡＲＱを使用する手段とをさらに備えている請求項２２記載の装置。
【請求項２４】
前記送信資源は複数のハイブリッド自動再送信(ＨＡＲＱ)インターレースを備えており、前記送信資源を割り振る前記手段は、前記第１および前記第２のグループの各々に前記複数のＨＡＲＱインターレースの少なくとも１つを割り振る手段を備えており、前記送信資源を使用する前記手段は、各グループに割り振られた前記少なくとも１つのＨＡＲＱインターレースを、前記グループ内の前記ユーザのためのデータ送信に使用する手段を備えている請求項２２記載の装置。
【請求項２５】
前記送信資源を割り振る前記手段は、各グループ内のユーザ数、各グループ内の前記ユーザのデータ要件、各グループ内の前記ユーザの総負荷、またはその組合せに基づいて、前記第１および前記第２のグループに前記送信資源を割り振る手段を備えている請求項２２記載の装置。
【請求項２６】
記憶された命令を含むコンピュータ読出し可能媒体であって、
複数入力複数出力(ＭＩＭＯ)送信のために個々にスケジュールされるユーザを含むユーザの第１のグループと、ＭＩＭＯ送信のために一緒にスケジュールされることができるユーザを含むユーザの第２のグループとに送信資源を割り振る第１の命令の組と、
各グループに割り振られた前記送信資源を、前記グループ内の前記ユーザのためのデータ送信に使用する第２の命令の組とを備えているコンピュータ読出し可能媒体。
【請求項２７】
複数入力複数出力(ＭＩＭＯ)送信のために個々にスケジュールされるユーザ装置(user equipment, UE)を含む第１のグループまたはＭＩＭＯ送信のために一緒にスケジュールされることができるＵＥを含む第２のグループに割り振られた送信資源から選択される、ユーザ装置（ＵＥ）のための送信資源の割り当てを受信して、前記割り当てられた送信資源をデータ送信に使用するように構成されたプロセッサと、
前記プロセッサに連結されたメモリとを備えている装置。
【請求項２８】
前記プロセッサは、前記ＵＥが前記第１のグループに割り当てられるか、または前記第２のグループに割り当てられるかを決定するように構成されており、前記割り当てられた送信資源は、前記ＵＥが割り当てられている前記グループに割り振られた前記送信資源から選択される請求項２７記載の装置。
【請求項２９】
前記割り当てられた送信資源は、前記ＵＥが割り当てられている前記グループに割り振られた複数のハイブリッド自動再送信(ＨＡＲＱ)インターレースから選択される少なくとも１つのＨＡＲＱインターレースを備えている請求項２７記載の装置。
【請求項３０】
前記割り当てられた送信資源は、前記ＵＥが割り当てられている前記グループに割り振られた複数の周波数チャネルから選択される少なくとも１つの周波数チャネルを備えている請求項２７記載の装置。
【請求項３１】
前記プロセッサは、送信資源の前記割り当てに基づいてフィードバック情報を決定し、前記フィードバック情報を送るように構成されている請求項２７記載の装置。
【請求項３２】
前記プロセッサは、前記ＵＥが前記第１のグループであるときは、データ送信にブランキングを用いるハイブリッド自動再送信(ＨＡＲＱ)を使用し、前記ＵＥが前記第２のグループであるときは、データ送信にブランキングを用いないＨＡＲＱを使用するように構成されている請求項２７記載の装置。
【請求項３３】
複数入力複数出力(ＭＩＭＯ)送信のために個々にスケジュールされるユーザ装置（ＵＥ）を含む第１のグループまたはＭＩＭＯ送信のために一緒にスケジュールされることができるＵＥを含む第２のグループに割り振られた送信資源から選択される、ＵＥのための送信資源の割り当てを受信することと、
前記割り当てられた送信資源をデータ送信に使用することとを備えている方法。
【請求項３４】
送信資源の割り当てを前記受信することは、
前記ＵＥが割り当てられている前記グループに割り振られた複数のハイブリッド自動再送信(ＨＡＲＱ)インターレースから選択される少なくとも１つのＨＡＲＱインターレースの割り当てを受信することを備えている請求項３３記載の方法。
【請求項３５】
前記ＵＥが前記第１のグループであるときは、データ送信にブランキングを用いるハイブリッド自動再送信(ＨＡＲＱ)を使用することと、
前記ＵＥが前記第２のグループであるときは、データ送信にブランキングを用いないＨＡＲＱを使用することとをさらに備えている請求項３３記載の方法。
【請求項３６】
複数入力複数出力(ＭＩＭＯ)送信のために個々にスケジュールされるユーザ装置（ＵＥ）を含む第１のグループまたはＭＩＭＯ送信のために一緒にスケジュールされることができるＵＥを含む第２のグループに割り振られた送信資源から選択される、ＵＥのための送信資源の割り当てを受信する手段と、
前記割り当てられた送信資源をデータ送信に使用する手段とを備えている装置。
【請求項３７】
送信資源の割り当てを受信する前記手段は、
前記ＵＥが割り当てられている前記グループに割り振られた複数のハイブリッド自動再送信(ＨＡＲＱ)インターレースから選択される少なくとも１つのＨＡＲＱインターレースの割り当てを受信する手段を備えている請求項３６記載の装置。
【請求項３８】
前記ＵＥが前記第１のグループであるときは、データ送信にブランキングを用いるハイブリッド自動再送信(ＨＡＲＱ)を使用する手段と、
前記ＵＥが前記第２のグループであるときは、データ送信にブランキングを用いないＨＡＲＱを使用する手段とをさらに備えている請求項３６記載の装置。
【発明の詳細な説明】
【技術分野】
【０００１】
本特許出願は、２００６年３月２０日に出願された仮米国出願第６０／７４８，８３８号および２００６年３月２４日に出願された第６０／７８５，６８７号に対して優先権を主張しており、両出願は、「Method and System for Resource Grouping to Support the Coexistence of Single-User MIMO and SDMA」という名称を付けられており、本発明の譲受人に譲渡され、参照によって本明細書に取り入れられる。
【０００２】
本開示は、概ね、通信、より具体的には、無線通信システムにおいてデータを送信する技術に関する。
【背景技術】
【０００３】
無線通信システムは、音声、パケットデータ、放送、メッセージング、等のような様々な通信サービスを提供するために広く展開されている。これらのシステムは、利用可能なシステム資源、例えば、帯域幅および送信電力を共有することによって複数のユーザの通信をサポートすることができる多元接続システムであり得る。このような多元接続システムの例は、符号分割多元接続(Code Division Multiple Access, CDMA)システム、時分割多元接続(Time Division Multiple Access, TDMA)システム、周波数分割多元接続(Frequency Division Multiple Access, FDMA)システム、および直交ＦＤＭＡ(Orthogonal FDMA, OFDMA)システムを含む。
【０００４】
無線多元接続システムは、ユーザ装置(user equipment, UE)と通信することができるノードＢ(または、基地局)を含む。各ＵＥは、ダウンリンクおよびアップリンクにおいて送信により１つ以上のノードＢと通信し得る。ダウンリンク(または順方向リンク)はノードＢからＵＥへの通信リンクを指し、アップリンク(または逆方向リンク)はＵＥからノードＢへの通信リンクを指す。
【０００５】
無線多元接続システムは、ダウンリンクおよび／またはアップリンクにおける複数入力複数出力(multiple-input multiple-output, MIMO)送信をサポートし得る。ダウンリンクにおいて、ノードＢは、ノードＢの複数(Ｔ本)の送信アンテナから１つ以上のＵＥの複数(Ｒ本)の受信アンテナへＭＩＭＯ送信を送り得る。Ｔ本の送信アンテナとＲ本の受信アンテナとによって形成されるＭＩＭＯチャネルは、Ｃ本の空間チャネルへ分解され得る。なお、Ｃ≦ｍｉｎ{Ｔ，Ｒ}である。Ｃ本の空間チャネルの各々は一次元に対応する。改善された性能(例えば、より高いスループットおよび／またはより大きな信頼度)は、複数の送信および受信アンテナによって生成される追加の次元を利用することによって達成され得る。
【０００６】
したがって、無線多元接続システムにおいてＭＩＭＯ送信を効率的にサポートする技術が、当技術において必要とされている。
【発明の開示】
【発明の概要】
【０００７】
単一ユーザおよび複数ユーザへのＭＩＭＯ送信をサポートする技術が、本明細書で説明されている。「ユーザ」および「ＵＥ」という用語は、本明細書において互換的に使用されている。１つの態様において、ユーザは、第１のグループおよび第２のグループを備えた複数のグループに分類される。第１のグループは、ＭＩＭＯ送信のために個々にスケジュールされるユーザを含み得る。第２のグループは、ＭＩＭＯ送信のために一緒にスケジュールされることができるユーザを含み得る。送信資源は第１および第２のグループに割り振られる。送信資源は、ハイブリッド自動再送信(hybrid automatic retransmission, HARQ)インターレース、周波数チャネル、時間周波数資源、等を備え得る。資源割り振りは、各グループ内のユーザ数、ユーザのデータ要件（data requirement）、各グループに対する総負荷、等のような様々な基準に基づき得る。資源割り振りは半静的（semi-static）であり、動作条件が変わるたびに、送信資源は再び割り振られ得る。各グループに割り振られた送信資源は、グループ内のユーザのためのダウンリンクおよび／またはアップリンクにおけるデータ送信に使用される。１つの設計において、ブランキングを用いるＨＡＲＱは第１のグループ内のユーザのためのデータ送信に使用され、ブランキングを用いないＨＡＲＱは第２のグループ内のユーザのためのデータ送信に使用される。
【０００８】
開示の様々な態様および特徴は、後述でさらに詳しく説明される。
【詳細な説明】
【０００９】
本明細書に説明されている技術は、複数の副搬送波を用いた複数搬送波システムおよび単一搬送波システムに使用され得る。この技術は、ダウンリンクおよびアップリンクにおけるデータ送信にも使用され得る。簡潔化のために、後述の説明の多くはダウンリンクにおけるデータ送信に関する。
【００１０】
図１は、複数のノードＢ110を備えた無線多元接続通信システム100を示している。ノードＢは、一般に、ＵＥと通信する固定局であり、基地局、アクセスポイント、拡張ノードＢ(enhanced Node B, eNode B)、等とも呼ばれ得る。各ノードＢ110は、特定の地理エリアに通信有効範囲（communication coverage）を提供する。「セル」という用語は、その用語が使用される文脈に応じて、ノードＢおよび／またはその有効範囲エリアを指すことができる。システム容量を改善するために、ノードＢの有効範囲エリアは複数のより小さなエリア、例えば３つのより小さなエリアに分割され得る。各より小さなエリアは、それぞれのベース トランシーバ サブシステム(base transceiver subsystem, BTS)によってサービス（serve）され得る。「セクタ」という用語は、その用語が使用される文脈に応じて、ＢＴＳおよび／またはその有効範囲エリアを指すことができる。セクタ分けされた（sectorized）セルにおいて、そのセルの全セクタのためのＢＴＳは、一般に、セルのノードＢ内に一緒に置かれる。
【００１１】
ＵＥ120はシステム全体に分散し得る。ＵＥは静止していても、または移動可能であってもよく、移動局(mobile station, MS)、移動装置(mobile equipment, ME)、端末、アクセス端末(access terminal, AT)、ステーション(station, STA)、等とも呼ばれ得る。ＵＥは、セルラ電話、パーソナル ディジタル アシスタント(personal digital assistant, PDA)、無線モデム、無線通信デバイス、加入者ユニット、等であり得る。
【００１２】
システム制御装置130はノードＢ110に接続して、これらのノードＢを調整および制御し得る。システム制御装置130は、１つのネットワークエンティティまたはネットワークエンティティの集まり（collection）であり得る。
【００１３】
図２は、システム100内の１つのノードＢ110および２つのＵＥ120x、120yのブロック図を示している。ノードＢ110は、複数（Ｔ＞１）のアンテナ234a乃至234tを備えている。ＵＥ120xは、１本（Ｒ＝１）のアンテナ252xを備えている。ＵＥ120yは、複数（Ｒ＞１）のアンテナ252a乃至252rを備えている。各アンテナは、物理的なアンテナまたはアンテナ配列であり得る。
【００１４】
ノードＢ110において、送信(ＴＸ)データプロセッサ220は、サービスされている１つ以上のＵＥのトラフィックデータをデータ源212から受信する。プロセッサ220はトラフィックデータを処理して(例えば、フォーマット、符号化、インターリーブ、およびシンボルマップして)、データシンボルを生成する。プロセッサ220はさらにパイロットシンボルを生成して、データシンボルと多重化する。ここで使用されているように、データシンボルはデータのシンボルであり、パイロットシンボルはパイロットのシンボルであり、シンボルは一般に複素数値（complex value）である。データシンボルおよびパイロットシンボルは、ＰＳＫまたはＱＡＭのような変調方式からの変調シンボルであり得る。パイロットは、ノードＢおよびＵＥの両者によって事前に知られているデータである。
【００１５】
ＴＸ ＭＩＭＯプロセッサ230は、データおよびパイロットシンボルに対して送信機空間処理を行う。プロセッサ230は、直接ＭＩＭＯマッピング、プリコーディング、およびビームフォーミング、等を行い得る。データシンボルは、直接ＭＩＭＯマッピングにおいて１本のアンテナから、またはプリコーディングおよびビームフォーミングにおいて複数のアンテナから送られ得る。プロセッサ230は、Ｔ本の出力シンボルストリームをＴ個の送信機（ＴＭＴＲ）232a乃至232tに与える。各送信機232は、その出力シンボルに対して(例えば、ＯＦＤＭ、ＣＤＭＡ、等のための)変調を行って、出力チップを取得し得る。各送信機232は、さらにその出力チップを処理して(例えば、アナログ変換、フィルタリング、増幅、およびアップコンバートして)、ダウンリンク信号を生成する。送信機232a乃至232tからのＴ個のダウンリンク信号は、Ｔ本のアンテナ234a乃至234tからそれぞれ送信される。
【００１６】
各ＵＥ120において、１または複数のアンテナ252はノードＢ110からダウンリンク信号を受信する。各アンテナ252は、受信信号を受信機(ＲＣＶＲ)254に与える。各受信機254は、その受信信号を処理して(例えば、フィルタリング、増幅、ダウンコンバート、およびディジタル化して)、サンプルを得る。各受信機254はさらにサンプルに対して(例えば、ＯＦＤＭ、ＣＤＭＡ、等のための)復調を行って、受信シンボルを取得し得る。
【００１７】
単一アンテナのＵＥ120xにおいて、データ検出器260xは、受信シンボルに対してデータ検出(例えば、整合フィルタリングまたは等化)を行って、データシンボル推定を与える。次に、受信(ＲＸ)データプロセッサ270xはデータシンボル推定を処理して(例えば、シンボルデマップ、デインターリーブ、および復号して)、復号されたデータをデータシンク272xに与える。複数アンテナのＵＥ120yにおいて、ＭＩＭＯ検出器260yは受信シンボルに対してＭＩＭＯ検出を行って、データシンボル推定を与える。次に、ＲＸデータプロセッサ270yはデータシンボル推定を処理して、復号されたデータをデータシンク272yに与える。
【００１８】
ＵＥ120xおよび120yは、ノードＢ110へのアップリンクにおいてトラフィックデータおよび／またはフィードバック情報を送信し得る。フィードバック情報は、チャネル状態情報(channel state information, CSI)、リンク適応情報（link adaptation information）、等のようにも呼ばれ得る。フィードバック情報は、例えば、１組のプリコーディング行列から選択されたプリコーディング行列、選択されたプリコーディング行列の１つ以上の列、信号対雑音比(signal-to-noise ratio, SNR)推定、または各データストリームのレート、等のような様々なタイプの情報を運び得る。ノードＢはフィードバック情報を使用して、ＵＥへデータをスケジュールして送信し得る。
【００１９】
各ＵＥ120において、データ源292からのトラフィックデータと制御装置／プロセッサ280からのフィードバック情報とは、ＴＸデータプロセッサ294によって処理され、（適用可能である場合は）ＴＸ ＭＩＭＯプロセッサ296によってさらに処理され、１つ以上の送信機254によって調整され、１本以上のアンテナ252を介して送信される。ノードＢ110において、ＵＥ120xおよび120yからのアップリンク信号は、アンテナ234a乃至234tによって受信され、受信機232a乃至232tによって処理され、ＭＩＭＯ検出器236およびＲＸデータプロセッサ238によってさらに処理され、ＵＥによって送られたトラフィックデータおよびフィードバック情報を回復する。
【００２０】
後述で説明されるように、制御装置／プロセッサ240および／またはスケジューラ244は、ＵＥを複数のグループに分類して、各グループに送信資源を割り振り得る。システムの設計に応じて、送信資源は、時間、周波数、空間、符号、送信電力、等、またはその任意の組合せによって量子化され得る。さらに、スケジューラ244は、例えば受信したフィードバック情報に基づいて、送信のためにＵＥをスケジュールする。制御装置／プロセッサ240は、受信したフィードバック情報に基づいて、スケジュールされたＵＥ(ＵＥへ／から)のデータ送信を制御する。
【００２１】
制御装置／プロセッサ240、280x、および280yは、それぞれノードＢ110およびＵＥ120x、120yの様々な処理ユニットの動作も制御し得る。メモリ242、282x、および282yは、ノードＢ110およびＵＥ120x、120yのデータおよびプログラムコードをそれぞれ記憶する。
【００２２】
ノードＢは、単一入力単一出力(single-input single-output, SISO)、単一入力複数出力(single-input multiple-output, SIMO)、複数入力単一出力(multiple-input single-output, MISO)、および／または複数入力複数出力（multiple-input multiple-output, MIMO)の送信をサポートし得る。データ送信において、単一入力は１本の送信アンテナに関連し、複数入力は複数の送信アンテナに関連する。データ受信において、単一出力は１本の受信アンテナに関連し、複数出力は多数の受信アンテナに関連する。ダウンリンクにおいて、複数の送信アンテナはノードＢにあり、複数の受信アンテナは１つ以上のＵＥにあるかもしれない。アップリンクにおいて、複数の送信アンテナは１つ以上のＵＥにあるかもしれず、複数の受信アンテナはノードＢにある。ノードＢは、空間−時間送信ダイバーシティ(space-time transmit diversity, STTD)、空間−周波数送信ダイバーシティ（space-frequency transmit diversity, SFTD）、および／または他の送信方式をさらにサポートし得る。
【００２３】
ノードＢは、単一ユーザのＭＩＭＯ(single-user MIMO, SU-MIMO)および複数ユーザのＭＩＭＯ(multi-user MIMO, MU-MIMO)をサポートし得る。ＳＵ−ＭＩＭＯは、１組の送信資源における単一のＵＥへ／からのＭＩＭＯ送信を指す。ＭＵ−ＭＩＭＯは、同じ組の送信資源における複数のＵＥへ／からのＭＩＭＯ送信を指す。ＭＵ−ＭＩＭＯは、空間分割多元接続(Spatial Division Multiple Access, SDMA)とも呼ばれる。後述で説明されるように、各リンクにおいて、ノードＢは、幾つかの送信資源においてＳＵ−ＭＩＭＯをサポートし、幾つかの他の送信資源においてＭＵ−ＭＩＭＯをサポートし得る。
【００２４】
ＵＥは、ＳＵ−ＭＩＭＯグループおよびＭＵ−ＭＩＭＯグループに分類され得る。ノードＢは、１組の送信資源においてＳＵ−ＭＩＭＯグループ内の１つのＵＥにサービスし、１組の送信資源においてＭＵ−ＭＩＭＯグループ内の複数のＵＥに同時にサービスし得る。ＵＥの分類は、例えば、ノードＢのアンテナ数、ＵＥのアンテナ数、ＵＥの数、ノードＢのセクタの負荷（loading）、ＵＥのデータ要件、長期間のチャネル統計、等のような様々な基準に基づき得る。１つの特定の設計において、ＵＥは、例えばテーブル１に示されているように、送信／受信(ＴＸ／ＲＸ)構成に基づいて分類される。
【表１】
2009530988.tif 000003
【００２５】
Ｔ×Ｒ構成は、ノードＢにおけるＴ本の送信アンテナと、ＵＥにおけるＲ本の受信アンテナとを意味する。テーブル１における６つの構成は、次のようにサポートされ得る。
【００２６】
・２×１構成−２つのＵＥがサポートされ、ＵＥごとに１本のデータストリームを用いる。
【００２７】
・２×２構成−１つのＵＥがサポートされ、このＵＥに２本のデータストリームを用いる。
【００２８】
・２×４構成−１つのＵＥがサポートされ、このＵＥに２本のデータストリームを用いる。
【００２９】
・４×１構成−４つのＵＥがサポートされ、ＵＥごとに１本のデータストリームを用いる。
【００３０】
・４×２構成−２つのＵＥがサポートされ、ＵＥごとに２本のデータストリームを用いる。
【００３１】
・４×４構成−１つのＵＥがサポートされ、このＵＥに４本のデータストリームを用いる。
【００３２】
ＵＥは、他の方式に基づいて分類されることもある。分類は半静的（semi-static）であり、例えば、ＵＥの個体数（population）、ＵＥの選好（preference）、ＵＥの要件、チャネル条件、セクタの負荷、等に基づいて更新され得る。
【００３３】
ノードＢは、直接ＭＩＭＯマッピング、プリコーディング、ビームフォーミング、等を使用して、１つ以上のＵＥにＭＩＭＯ送信を送り得る。直接ＭＩＭＯマッピングを用いると、各データストリームは異なる送信アンテナにマップされる。プリコーディングを用いると、データストリームはプリコーディング行列と乗算されて、プリコーディング行列を用いて生成された仮想アンテナで送られる。プリコーディング行列は、アダマール行列、フーリエ行列、または何か他の行列であり得る。各データストリームは、プリコーディングを用いると全Ｔ本の送信アンテナから送られる。送られるデータストリームの数にかかわらず、プリコーディングは、各送信アンテナの総送信電力をデータ送信に使用できるようにする。プリコーディングは、空間拡散、空間−時間スクランブリング、等をさらに含み得る。ビームフォーミングを用いると、データストリームはビームフォーミング行列と乗算されて、例えば１つ以上のＵＥの特定の受信アンテナへ方向付けられる（steer）。
【００３４】
ＳＵ−ＭＩＭＯおよびＭＵ−ＭＩＭＯの両者において、ＵＥは、技術的に知られている線形最小平均平方誤差(minimum mean square error, MMSE)、ゼロフォーシング（zero-forcing, ZF)、連続干渉消去（successive interference cancellation, SIC）、等のような様々なＭＩＭＯ検出技術を使用して、そのデータストリームを回復し得る。ＳＩＣにおいて、ＵＥは、一度に１本のデータストリームを回復し、各回復されたデータストリームにより干渉を推定し、次のストリームを回復する前に干渉を消去する。ＳＩＣは、後で回復されるデータストリームのＳＮＲを改善し得る。ＳＵ−ＭＩＭＯにおいて、ＵＥは、そのＵＥにＭＩＭＯ送信で送られる全データストリームに対してＳＩＣを行うことができ得る。ＭＵ−ＭＩＭＯにおいて、ＵＥは、そのＵＥに送られるデータストリームのみに対してＳＩＣを行うことができ得る。ＭＵ−ＭＩＭＯのＵＥは、通常、他のＵＥに送られたデータストリームを回復することができず、これらのデータストリームによる干渉を推定および消去することができない。したがって、ＭＵ−ＭＩＭＯのＵＥは、（ａ）ＭＭＳＥ検出を行ってそのデータストリームを回復するか、または（ｂ）ＳＩＣを伴うＭＭＳＥ検出（またはＭＭＳＥ−ＳＩＣ）を行って、そのＵＥのデータストリームからの干渉を抑えて、ＭＭＳＥ検出を行って、他のＵＥのデータストリームからの干渉を抑えることができる。
【００３５】
システムはＨＡＲＱをサポートするかもしれず、それは追跡結合（chase combining）、インクリメンタル リダンダンシー(incremental redundancy)、等の方法をとり得る。ＨＡＲＱを用いると、送信機はパケットの送信を送り、パケットが受信機によって正確に復号されるか、最大数の再送信が送られるか、または何か他の送信条件に出会うまで、１つ以上の再送信を送り得る。ＨＡＲＱは、データ送信の信頼度を改善し得る。
【００３６】
図３は、ダウンリンクにおける例示的なＨＡＲＱ送信を示している。ノードＢはパケットＡを処理して、送信時間区間(transmission time interval, TTI)Ｔ１においてパケットを送信する。ＴＴＩは任意の持続時間を有することができ、一般にシステムの設計に応じる。例えば、ＴＴＩは１ミリ秒(millisecond, ms)、２ｍｓ、５ｍｓ、１０ｍｓ、または何か他の持続時間であり得る。ＵＥは送信を受信し、パケットＡの復号をエラーし、ＴＴＩ Ｔ２において否定応答(negative acknowledgement, NAK)を送る。ノードＢはＮＡＫを受信し、ＴＴＩ Ｔ３においてパケットＡを再送信する。ＵＥは再送信を受信し、元の送信および再送信に基づいてパケットＡを復号し、パケットの復号をエラーしたときは、ＴＴＩ Ｔ４においてＮＡＫを送る。ノードＢはＮＡＫを受信し、ＴＴＩ Ｔ５においてパケットＡを再び再送信する。ＵＥは第２の再送信を受信し、元の送信および２つの再送信に基づいてパケットＡを復号し、パケットが正確に復号されたときは、ＴＴＩ Ｔ６において肯定応答(acknowledgement, ACK)を送る。次に、ノードＢは、パケットＡと同様のやり方で次のパケットＢを処理して送信する。
【００３７】
ＨＡＲＱプロセスは、パケットの全ての送信と、もしあれば再送信とを参照する。ＨＡＲＱプロセスは、送信資源が利用可能になるたびに開始され、第１の送信の後または１つ以上の後続の再送信の後で終了し得る。図３において、パケットＡに対するＨＡＲＱプロセスは、ＴＴＩ Ｔ１において開始し、ＴＴＩ Ｔ５において終了する。パケットＡに対するＨＡＲＱプロセスの終了後に、パケットＢに対するＨＡＲＱプロセスがＴＴＩ Ｔ７において開始する。ＨＡＲＱプロセスは、受信機における復号結果に左右される可変持続期間を有し得る。パケットが送られると、そのＨＡＲＱプロセスは、目標数の再送信後に、および目標のパケット誤り率(packet error rate, PER)で終了する。
【００３８】
ダウンリンクにおいて、ノードＢは、ＭＩＭＯ送信において同時にＳ本のデータストリームを１つ以上のＵＥに送り得る。Ｓは、ＳＵ−ＭＩＭＯにおいて１≦Ｓ≦ｍｉｎ｛Ｔ，Ｒ｝として、ＭＵ−ＭＩＭＯにおいて１≦Ｓ≦Ｔとして与えられ得る。独立したＨＡＲＱプロセスを使用して、Ｓ本のデータストリームが送られ得る。各データストリームの各パケットは、パケットが正確に復号されるまで、１つの送信とゼロ以上の再送信とで送られ得る。終了時間は、Ｓ本のデータストリームにおいて送られる異なるパケットごとに異なり得る。データストリームがそのＨＡＲＱプロセスを終了すると、他の全てのデータストリームに対するＨＡＲＱプロセスが終了すると直ぐにまたはその後で、新しいＨＡＲＱプロセスが開始され得る。
【００３９】
図４Ａは、ブランキングを用いた複数（Ｓ＞１）のデータストリームに対する例示的なＨＡＲＱ送信を示しており、これはブランキング方式とも呼ばれる。ブランキングを用いるＨＡＲＱは、ＨＡＲＱプロセスを同時に開始して、そのＨＡＲＱプロセスの全てが終了するまで待ってから、新しいＨＡＲＱプロセスを開始する方式を指す。
【００４０】
図４Ａに示されている例では、Ｓ個のＨＡＲＱプロセスは、ＴＴＩ Ｔ１において、Ｓ本のデータストリームに対するＳ個のパケット１ＡないしＳＡで開始される。これらのＳ個のパケットの第１の送信は、ＴＴＩ Ｔ１において送られる。パケット１Ａの復号はエラーであり、パケット２Ａは正確に復号される、等、パケットＳＡの復号はエラーである。次に、データストリーム２はブランクにされ、他の全てのデータストリームに対するＨＡＲＱプロセスが終了するまで、データストリーム２に対する送信は送られない。パケット１Ａ、ＳＡ、および場合により他のパケットの第１の再送信は、ＴＴＩ Ｔ３において送られる。パケット１Ａの復号はそれでもエラーであり、等、パケットＳＡは正確に復号される。次に、残りのＨＡＲＱプロセス全てが終了するまで、データストリームＳはブランクにされる。パケット１Ａおよび場合により他のパケットの第２の再送信は、ＴＴＩ Ｔ５において送られる。この例では、第２の再送信の後で、パケット１Ａおよび全ての未解決（pending）のパケットが正確に復号され、それらのＨＡＲＱプロセスはＴＴＩ Ｔ５において終了する。次に、Ｓ個の新しいＨＡＲＱプロセスは、Ｓ個の新しいパケット１Ｂ乃至ＳＢに対してＴＴＩ Ｔ７において開始される。これらのＳ個の新しいパケットの第１の送信は、ＴＴＩ Ｔ７において送られる。
【００４１】
図４Ｂは、ブランキングを用いない複数(Ｓ＞１)のデータストリームに対する例示的なＨＡＲＱ送信を示しており、これは非ブランキング方式とも呼ばれる。ブランキングを用いないＨＡＲＱは、未解決のＨＡＲＱプロセスが終了するたびに、直ちに新しいＨＡＲＱプロセスを開始する方式を指す。
【００４２】
図４Ｂに示されている例では、Ｓ個のＨＡＲＱプロセスは、Ｓ個のパケット１Ａ乃至ＳＡに対してＴＴＩ Ｔ１において開始され、これらのＳ個のパケットの第１の送信はＴＴＩ Ｔ１において送られる。パケット１Ａの復号はエラーであり、パケット２Ａは正確に復号され、等、パケットＳＡの復号はエラーである。新しいＨＡＲＱプロセスは、データストリーム２においてパケット２Ｂに対して開始される。パケット１Ａ、ＳＡ、および場合により他のパケットの第１の再送信、並びにパケット２Ｂの第１の送信は、ＴＴＩ Ｔ３において送られる。パケット１Ａの復号はそれでもエラーであり、パケット２Ｂは正確に復号され、等、パケットＳＡも正確に復号される。新しいＨＡＲＱプロセスはデータストリーム２においてパケット２Ｃに対して開始され、別の新しいＨＡＲＱプロセスはデータストリームＳにおいてパケットＳＢに対して開始される。パケット１Ａおよび場合により他のパケットの第２の再送信、並びにパケット２ＣおよびＳＢの第１の送信は、ＴＴＩ Ｔ５において送られる。パケット１Ａは正確に復号され、パケット２Ｃの復号はエラーであり、等、パケットＳＢの復号もエラーである。新しいＨＡＲＱプロセスは、データストリーム１においてパケット１Ｂに対して開始される。パケット１Ｂの送信並びにパケット２Ｃ、ＳＢ、および場合により他のパケットの第１の再送信が、ＴＴＩ Ｔ７において送られる。
【００４３】
図４Ａおよび４Ｂに示されているように、ブランキングを用いるＨＡＲＱは、ブランキングを用いないＨＡＲＱと比較して、より低いスループットを有し得る。これは、Ｓ個のデータストリームに対するＨＡＲＱプロセスの終了時間が異なるとき、ブランキングを用いるＨＡＲＱは送信資源の全てを利用しているとは限らないからである。しかしながら、ブランキングを用いるＨＡＲＱは、単純なユーザのスケジューリング、単純なＨＡＲＱの管理、より柔軟なランク選択、等のような幾つかの長所を有し得る。ランク選択は、チャネル条件に基づいて送る特定数のデータストリームの選択を指す。ブランキングによるスループットの損失が小さいときは、ブランキングを用いるＨＡＲＱをＭＩＭＯ送信に使用することが望ましいかもしれない。何れの場合においても、ＳＵ−ＭＩＭＯ送信において、ノードＢのスケジューラが、所与の資源に割り当てられた１つのＵＥを別のＵＥに変えて、単一のＵＥ送信を維持することを望むときに、ブランキングを用いるＨＡＲＱを利用することは避けられないかもしれない。
【００４４】
ノードＢは、セクタ容量(ＭＵ−ＭＩＭＯを好み得る)、高いピークスループット(ＳＵ−ＭＩＭＯを好み得る)、データ要件、サービス品質(quality of service, QoS)要件、セクタの負荷、比例公平性基準（proportional fairness criterion）、等のような様々な要因に基づいて、ＳＵ−ＭＩＭＯおよびＭＵ−ＭＩＭＯグループにおいてＵＥを動的にスケジュールし得る。例えば、ノードＢは、ＭＵ−ＭＩＭＯ送信で複数のＵＥを、次にＳＵ−ＭＩＭＯ送信で１つのＵＥを、次にＭＵ−ＭＩＭＯ送信で複数のＵＥを、等でスケジュールしてもよい。
【００４５】
ＨＡＲＱが送信に使用されるとき、ＳＵ−ＭＩＭＯのＵＥおよびＭＵ−ＭＩＭＯのＵＥの動的なスケジューリングは、送信資源の無駄をもたらし得る。複数のＵＥへのＭＵ−ＭＩＭＯ送信において、これらのＵＥに対するＨＡＲＱプロセスは異なる時間に終了し得る。１つのＵＥへのＳＵ−ＭＩＭＯ送信において、このＵＥに対するＨＡＲＱプロセスは、ＵＥによって使用されるＭＩＭＯ検出技術により、ほぼ一緒に終了するか、または異なる時間に終了し得る。ＳＵ−ＭＩＭＯとＭＵ−ＭＩＭＯとを切り換えるときに、ＨＡＲＱプロセスの終了時間のずれ（discrepancy）が送信資源の無駄をもたらし得る。例えば、ＭＵ−ＭＩＭＯからＳＵ−ＭＩＭＯへ切り換えるとき、サービスされている全てのＭＵ−ＭＩＭＯのＵＥに対するＨＡＲＱプロセスが終了するまで、ノードＢは待つべきである。ノードＢは、早く終了した各ＨＡＲＱプロセスの送信資源をブランクにし得る。再送信の目標数および目標ＰＥＲに応じて、送信資源のこの無駄はスループットの相当な損失をもたらし得る。
【００４６】
１つの態様において、データ送信に利用可能な送信資源はＳＵ−ＭＩＭＯおよびＭＵ−ＭＩＭＯグループに割り振られる。資源割り振りは、例えば、時間で、または時間および周波数でのような、送信資源の定義のされ方に応じて様々なやり方で達成され得る。資源割り振りは、各グループ内のＵＥの数、ＵＥのデータおよびＱｏＳ要件、等のような様々な基準にも基づき得る。送信資源を割り振るための幾つかの方式は、後述で説明される。各グループ内のＵＥは、そのグループに割り振られた送信資源を使用してサービスされる。
【００４７】
図５は、ＨＡＲＱ送信に使用され得るＨＡＲＱインターレース構造500を示している。送信時間線（transmission timeline）は、ＴＴＩの単位に分割され得る。ＴＴＩは、連続して番号を付けられ得る。各ＴＴＩは任意の持続期間にわたり、それは一定または構成可能であり得る。
【００４８】
Ｍ個のＨＡＲＱインターレースが定義され得る。なお、Ｍは任意の値であり得る。例えば、Ｍは、４、６、または何か他の値に相当し得る。各ＨＡＲＱインターレースは、（オーバーヘッドに割り振られた時間を勘定に入れずに）Ｍ個のＴＴＩ分を離されたＴＴＩをカバーする。Ｍ個のＨＡＲＱインターレースは、互いにずれた（staggered）ＴＴＩをカバーする。例えば、ＨＡＲＱインターレース１は、ＴＴＩ １、Ｍ＋１、等をカバーし得る。ＨＡＲＱインターレース２は、ＴＴＩ ２、Ｍ＋２、等をカバーし、ＨＡＲＱインターレースＭは、ＴＴＩ Ｍ、２Ｍ、等をカバーし得る。
【００４９】
各ＨＡＲＱプロセスは、ＨＡＲＱインターレース全体ではなく、１つのみのＨＡＲＱインターレースにおいて送られてもよい。ＭＩＭＯを用いて同時に送られるパケット数に応じて、１つ以上のＨＡＲＱプロセスの組が、所与のＴＴＩにおける各ＨＡＲＱインターレースにおいてアクティブであってもよい。ＨＡＲＱプロセスのＭ個の異なる組が、Ｍ個のＨＡＲＱインターレースにおいて送られてもよい。Ｍ組は、同数または異なる数のＨＡＲＱプロセスを含んでもよい。
【００５０】
Ｍ個のＨＡＲＱインターレースは、ＳＵ−ＭＩＭＯおよびＭＵ−ＭＩＭＯグループに割り振られ得る送信資源として考えられ得る。一般に、各グループは、任意の数のＨＡＲＱインターレース、またはＭ個のＨＡＲＱインターレースの任意の１つを割り振られ得る。各ＨＡＲＱインターレースは、ＳＵ−ＭＩＭＯまたはＭＵ−ＭＩＭＯグループの何れかに割り振られ得る。
【００５１】
図６は、ＳＵ−ＭＩＭＯおよびＭＵ−ＭＩＭＯグループへのＨＡＲＱインターレースの例示的な割り振りを示している。この例において、Ｌ個のＨＡＲＱインターレース１乃至ＬはＳＵ−ＭＩＭＯグループに割り振られ、残りのＭ−Ｌ個のＨＡＲＱインターレースＬ＋１乃至ＭはＭＵ−ＭＩＭＯグループに割り振られている。
【００５２】
ＳＵ−ＭＩＭＯグループ内のＵＥは、ＨＡＲＱインターレース１乃至Ｌを使用してサービスされ得る。例えば、ＨＡＲＱインターレース１は１つのＳＵ−ＭＩＭＯのＵＥに使用され、ＨＡＲＱインターレース２は別のＳＵ−ＭＩＭＯのＵＥに使用され得る、等、ＨＡＲＱインターレースＬはさらに別のＳＵ−ＭＩＭＯのＵＥに使用され得る。２つ以上のＨＡＲＱインターレースが１つの所与のＳＵ−ＭＩＭＯのＵＥに使用されてもよい。Ｌ個までのＳＵ−ＭＩＭＯのＵＥが、ＳＵ−ＭＩＭＯグループに割り振られたＬ個のＨＡＲＱインターレースでサービスされ得る。所与のＨＡＲＱインターレースｌ（なお、ｌ∈{１．．．Ｌ}）において、ＨＡＲＱインターレースｌを割り当てられたＳＵ−ＭＩＭＯのＵＥに対して、１つ以上のＨＡＲＱプロセスがアクティブであり得る。ＳＵ−ＭＩＭＯにおいて、例えば、ＨＡＲＱインターレースが別のＵＥに割り振られるとき、ブランキングを用いるＨＡＲＱが使用され得る。現在割り当てられているＵＥに対するＨＡＲＱプロセスの全てが終了すると、ＨＡＲＱインターレースｌは別のＳＵ−ＭＩＭＯのＵＥに割り当てられ得る。
【００５３】
ＭＵ−ＭＩＭＯグループ内のＵＥは、ＨＡＲＱインターレースＬ＋１乃至Ｍを使用してサービスされ得る。例えば、ＨＡＲＱインターレースＬ＋１は1つの組のＭＵ−ＭＩＭＯのＵＥに使用され、ＨＡＲＱインターレースＬ＋２は別の組のＭＵ−ＭＩＭＯのＵＥに使用され得る、等、ＨＡＲＱインターレースＭはさらに別の組のＭＵ−ＭＩＭＯのＵＥに使用され得る。２つ以上のＨＡＲＱインターレースが所与のＭＵ−ＭＩＭＯのＵＥに使用されてもよい。Ｍ−Ｌ組までのＭＵ−ＭＩＭＯのＵＥが、ＭＵ−ＭＩＭＯグループに割り振られたＭ−Ｌ個のＨＡＲＱインターレースでサービスされ得る。所与のＨＡＲＱインターレースｌ（なお、ｌ∈{Ｌ＋１．．．Ｍ}）において、Ｔ個までのＨＡＲＱプロセスが、ＨＡＲＱインターレースｌを割り当てられたＵＥの組に対してアクティブであり得る。ブランキングを用いないＨＡＲＱは、ＭＵ−ＭＩＭＯに使用され得る。ＨＡＲＱプロセスがＨＡＲＱインターレースｌにおいて終了するたびに、別のＨＡＲＱプロセスが、（ａ）このＨＡＲＱインターレースを現在割り当てられているＵＥか、または（ｂ）このＨＡＲＱインターレースをちょうど割り当てられた新しいＵＥの何れかに対して直ちに開始され得る。したがって、送信資源は、ＭＵ−ＭＩＭＯにおいて効率的に利用され得る。
【００５４】
ＨＡＲＱインターレースを２つのグループに割り振って、各グループに割り振られたＨＡＲＱを使用して、そのグループ内のＵＥにサービスすると、資源の利用が改善され得る。各ＨＡＲＱインターレースを１つのグループのみに使用することによって、ＭＵ−ＭＩＭＯからＳＵ−ＭＩＭＯへおよびその逆へ切り換えるときのブランキングによるスループットの損失を回避することができる。ＭＵ−ＭＩＭＯグループに割り振られたＨＡＲＱインターレースは、ブランキングなしに効率的に利用され得る。ＭＵ−ＭＩＭＯに対するＨＡＲＱプロセスは、例えば、資源を再び割り振るため、スケジューリングのため、異なる数のデータストリームを用いてＭＵ−ＭＩＭＯのＵＥ間で切り換えるため、等の特定の目的に必要とされるときにのみ同期をとられ得る。例えば、スケジューラが、許容できない干渉を起こすことなく、解放された資源を使用してデータを送信することができる任意のＵＥを見付けることができないときに、ブランキングがＭＵ−ＭＩＭＯにおいて使用され得る。ＳＵ−ＭＩＭＯグループに割り振られたＨＡＲＱインターレースも効率的に利用され得る。１つのＳＵ−ＭＩＭＯのＵＥから別のＳＵ−ＭＩＭＯのＵＥへの切り換えによるスループットの損失は、（ａ）切り換えの数／頻度を低減するためにできるだけ長くＳＵ−ＭＩＭＯのＵＥに持続的にサービスし、（ｂ）ＨＡＲＱプロセスの終了時間近くで生じる技術(例えば、ＳＩＣ)を使用することによって低減され得る。
【００５５】
システムは、直交周波数分割多重化(Orthogonal Frequency Division Multiplexing, OFDM)、単一搬送波周波数分割多重化(Single-Carrier Frequency Division Multiplexing, SC-FDM)、または何か他の複数搬送波の変調技術を利用してもよい。ＯＦＤＭおよびＳＣ−ＦＤＭは、システムの帯域幅を複数（Ｋ本）の直交する副搬送波に分割する。副搬送波は、トーン、ビン、等とも呼ばれる。Ｋは任意の整数値であり得る。各副搬送波はデータで変調され得る。一般に、変調シンボルは、ＯＦＤＭにおいて周波数領域で、ＳＣ−ＦＤＭにおいて時間領域で送られる。複数の副搬送波を用いると、送信資源は時間および周波数の両者によって量子化され得る。
【００５６】
図７Ａは、データ送信に使用され得る副搬送波構造700を示している。Ｋ本の全副搬送波は、１乃至Ｋのインデックスを割り当てられている。単純化のために、次の説明は、Ｋ本の全副搬送波全てが送信に使用可能であると仮定している。副搬送波構造700において、Ｋ本の全副搬送波はＱ個のサブバンドにまとめられている（arrange）。なお、Ｑは任意の値であり得る。各サブバンドはＰ本の連続する副搬送波を含み、なお、Ｋ＝Ｐ・Ｑである。したがって、サブバンド１は副搬送波１乃至Ｐを含み、サブバンド２はＰ＋１乃至２Ｐを含む、等、サブバンドＱは副搬送波Ｋ−Ｐ＋１乃至Ｋを含む。
【００５７】
図７Ｂは、同じくデータ送信に使用され得る副搬送波構造710を示している。副搬送波構造710において、Ｋ本の全副搬送波はＱ組にまとめられている。各組は、Ｋ本の全副搬送波全体で一様に分配されたＰ本の副搬送波を含み、各組の中の連続する副搬送波は、Ｑ本の副搬送波分、離されている。組ｑ（なお、ｑ∈{１．．．Ｑ}）は、副搬送ｑ、Ｑ＋ｑ、２Ｑ＋ｑ、等を含んでいる。
【００５８】
Ｑ本の周波数チャネルは、図７ＡのＱ本のサブバンド、図７ＢのＱ個の副搬送波の組、または副搬送波の何か他のグループ分けを用いて形成され得る。各周波数チャネルは、１本のサブバンド、１つの副搬送波の組、または１つの副搬送波グループに対応し得る。
【００５９】
図８は、周波数全体にわたる資源割り振りの例を示している。この例において、Ｑ本の周波数チャネルはＳＵ−ＭＩＭＯおよびＭＵ−ＭＩＭＯグループに割り振られ、各周波数チャネルは１つのグループに割り振られている。図８に示されている例において、周波数チャネル１、３、等はＳＵ−ＭＩＭＯグループに割り振られ、周波数チャネル２、４、等およびＱはＭＵ−ＭＩＭＯグループに割り振られている。一般に、各グループは、任意の数の周波数チャネルおよびＱ本の周波数チャネルの中の任意の１本を割り振られ得る。
【００６０】
１つの設計では、各周波数チャネルに対して、Ｍ個のＨＡＲＱインターレースが定められている。各周波数チャネルに対するＭ個のＨＡＲＱインターレースは、その周波数チャネルを割り振られたグループ内のＵＥに使用され得る。この設計では、各グループに利用可能なＨＡＲＱインターレースの数は、そのグループに割り振られた周波数チャネルの数に応じる。
【００６１】
別の設計では、各グループに割り振られた全周波数チャネルに対して、Ｍ個のＨＡＲＱインターレースが定められている。各グループはＭ個のＨＡＲＱインターレースを有し、各ＨＡＲＱインターレースの容量は、そのグループに割り振られた周波数チャネルの数に応じる。各グループに対するＭ個のＨＡＲＱインターレースは、そのグループ内のＵＥに使用され得る。
【００６２】
一般に、各グループに割り振られた周波数チャネルに基づいて、各グループに対して、任意の数のＨＡＲＱインターレースが定められ得る。各ＨＡＲＱインターレースは、１つ以上の周波数チャネルをカバーし得る。各グループ内のＵＥは、そのグループに利用可能なＨＡＲＱインターレースを使用してサービスされ得る。
【００６３】
資源割り振りは、時間および周波数全体にわたって行われることもある。１つの設計では、Ｍ個のＨＡＲＱインターレースが各周波数チャネルに対して定められ、Ｍ・Ｑ個のＨＡＲＱインターレースの全てが利用可能である。ＨＡＲＱインターレースの各々は、ＳＵ−ＭＩＭＯまたはＭＵ−ＭＩＭＯグループに割り振られ得る。この設計は、送信資源をグループに割り振るときに細かい粒度（fine granularity）および柔軟性を与える。別の設計では、周波数チャネルの複数の組が形成され、Ｍ個のＨＡＲＱインターレースが周波数チャネルの各組に対して定められ、各ＨＡＲＱインターレースはＳＵ−ＭＩＭＯまたはＭＵ−ＭＩＭＯグループに割り振られ得る。これらの組は同数の周波数チャネルを含んでもよく、その場合に、ＨＡＲＱインターレースは等しい容量をもつ。その代わりに、これらの組は異なる数の周波数チャネルを含んでもよく、その場合に、ＨＡＲＱインターレースは異なる容量をもつ。
【００６４】
利用可能な送信資源は、様々な基準に基づいてＳＵ−ＭＩＭＯおよびＭＵ−ＭＩＭＯグループに割り振られ得る。資源割り振りは、各グループ内のＵＥ数に基づいてもよい。より多くのＳＵ−ＭＩＭＯ(またはＭＵ−ＭＩＭＯ)のＵＥが存在するとき、より多くの送信資源がＳＵ−ＭＩＭＯ(またはＭＵ−ＭＩＭＯ)グループに割り振られ得る。資源割り振りは、ＵＥのデータ要件にも基づき得る。例えば、全てのＳＵ−ＭＩＭＯのＵＥの総負荷(または、総要求スループット)および全てのＭＵ−ＭＩＭＯのＵＥの総負荷が決定され、送信資源は、２つのグループに対する総負荷に基づいて割り振られ得る。資源割り振りは、サービス品質(quality of service, QoS)および／またはＵＥの他の要件にも基づき得る。資源割り振りは他の基準にも基づき得る。
【００６５】
資源割り振りは半静的（semi-static）であり、たとえ変化しても、頻繁に変わらないかもしれない。ノードＢは周期的に動作条件を評価し、送信資源をＳＵ−ＭＩＭＯおよびＭＵ−ＭＩＭＯグループに必要に応じて再び割り振り得る。資源割り振りは、グループが更新されるたびに行われても、または任意のグループの更新と無関係に行われてもよい。
【００６６】
ノードＢのスケジューラは、ＵＥのデータおよびＱｏＳ要件とそれらのフィードバック情報とに基づいて送信のためにＵＥをスケジュールし得る。各ＵＥは、スケジューリングのとき、呼を開始するとき、および／または他のときに、そのＵＥに使用される送信資源(例えば、ＨＡＲＱインターレース)について知らされ得る。例えば、各スケジューリング区間（scheduling interval）において、どのＵＥが送信のためにスケジュールされるか、およびどのＨＡＲＱインターレースが各スケジュールされたＵＥに対して使用されるかを伝えるために信号が送られ得る。
【００６７】
ＳＵ−ＭＩＭＯのＵＥは、ＳＩＣを伴うＭＭＳＥ検出(またはＭＭＳＥ−ＳＩＣ)を行って、ＵＥに送られたＭＩＭＯ送信を回復し得る。ＭＭＳＥ−ＳＩＣにおいて、ＵＥは、最初に、ＵＥのＲ本の受信アンテナからの受信シンボルに対してＭＭＳＥ検出を行って、１つのＨＡＲＱプロセスで送られた１つのパケットのデータシンボル推定を得る。次に、ＵＥは、データシンボル推定を処理して(例えば、復調、デインターリーブ、および復号して)、復号されたパケットを得る。パケットが正確に復号されると、ＵＥは、このパケットによって生じた干渉を推定し、推定された干渉を受信シンボルから差し引く。次に、ＵＥは、干渉を消去されたシンボルに対してＭＭＳＥ検出を行って、別のＨＡＲＱプロセスにおいて送られる別のパケットのデータシンボル推定を得る。次に、ＵＥは新しいデータシンボル推定を処理して、別の復号されたパケットを得る。
【００６８】
ノードＢは、Ｓ本のデータストリームにおいてＳ個のパケットをＳＵ−ＭＩＭＯのＵＥに同時に送り得る。ＵＥは、ＵＥに送られた各パケットに対してＭＭＳＥ検出、復号、および干渉消去を行い得る。ＳＩＣが使用されるとき、データストリームは層とも呼ばれる。回復された最初のデータストリームは最下位層ストリームと呼ばれ、回復された最後のデータストリームは最上位層ストリームと呼ばれる。
【００６９】
ＳＵ−ＭＩＭＯのＵＥがＭＭＳＥ-ＳＩＣを使用するとき、ＵＥに対するＨＡＲＱプロセスの全てが同時に終了する可能性が高い。データストリームのレートを連続的に選択して、下位層ストリームが正確に復号されて消去されるときのみ、上位層ストリームを正確に復号することができるようにする。制御ループは、全てのデータストリームに対して同様のＰＥＲを達成するために使用され得る。この場合、下位層ストリームが正確に復号されて消去されると直ぐに、上位層ストリームが正確に復号され得る。その結果、ＨＡＲＱプロセスの全ては、大抵の場合に同じＴＴＩで終了する。さらに、各データストリームに対するバックオフマージン（backoff margin）のレートを選択して、全てのデータストリームに対するＨＡＲＱプロセスが高い確率で同時に終了するようにする。頻繁ではないかもしれないが、全てのデータストリームが同時に正確に復号されなくなるたびに、ブランキングを使用して、ＨＡＲＱプロセスを同期させてもよい。他のＭＩＭＯ検出技術(例えば、ゼロフォーシング)がＳＩＣと組み合わせて使用されるとき、同様にＨＡＲＱプロセスの近い終了（close termination）が取得され得る。
【００７０】
ＳＵ−ＭＩＭＯのＵＥは、ＳＩＣを行わずにＭＭＳＥ検出を行うこともある。この場合、データストリームのレートは、これらのストリームのＳＮＲに基づいて独立して選択され得る。これらのデータストリームのＨＡＲＱプロセスは、異なる時間に終了し得る。
【００７１】
コンピュータシミュレーションを行って、（ａ）ＭＭＳＥまたはＭＭＳＥ-ＳＩＣと（ｂ）ブランキングを用いるＨＡＲＱまたはブランキングを用いないＨＡＲＱとの異なる組合せに対応する４つの場合に対するＳＵ−ＭＩＭＯのＵＥのスループットを決定する。シミュレーションは、ブランキングを用いるＭＭＳＥ-ＳＩＣおよびブランキングを用いないＭＭＳＥ-ＳＩＣが最良の性能を有し、性能上同様であることを示している。ブランキングを用いないＭＭＳＥは次に最良の性能を有し、ブランキングを用いるＭＭＳＥは最悪の性能を有する。
【００７２】
ブランキングによるスループットの損失を低減するために、ＵＥは、それらのＨＡＲＱプロセスが同時にまたはほぼ一緒に終了する可能性に基づいて、グループに分類され得る。ＨＡＲＱプロセスの終了が近くなり得るＳＩＣおよび／または他の技術を使用するＵＥは、ＳＵ−ＭＩＭＯグループに置かれ得る。異なる時間に終了するＨＡＲＱプロセスを用いるＵＥは、ＭＵ−ＭＩＭＯグループに置かれ得る。
【００７３】
ブランキングを用いるＨＡＲＱは、ＳＵ−ＭＩＭＯグループに使用され得る。ＭＩＭＯ送信は、ＳＵ−ＭＩＭＯグループから一度に１つのＵＥに送られる。現在のＵＥに対するＨＡＲＱプロセスの全てが終了したときに、新しいＭＩＭＯ送信が別のＵＥに送られ得る。
【００７４】
ブランキングを用いないＨＡＲＱは、ＭＵ−ＭＩＭＯグループに使用され得る。ＭＩＭＯ送信は、ＭＵ−ＭＩＭＯグループから一度に１または複数のＵＥに送られ得る。未解決のＨＡＲＱプロセスが終了すると直ぐに、新しいＨＡＲＱプロセスが開始され得る。ＭＩＭＯ送信は、ＭＵ−ＭＩＭＯグループ内の１つのＵＥに送られ得る。この１つのＵＥに対するＨＡＲＱプロセスは、前のＨＡＲＱプロセスが終了するときに応じて、異なる時間に開始し得る。さらに、この１つのＵＥに対するＨＡＲＱプロセスが終了するたびに、新しいＨＡＲＱプロセスが開始され得る。したがって、この１つのＵＥに対するＨＡＲＱプロセスは、この１つのＵＥへのＭＩＭＯ送信の最初および／または最後において、他のＵＥに対するＨＡＲＱプロセスと重なり得る。この１つのＵＥへの送信の最初および／または最後に重なるので、この１つのＵＥはＭＵ−ＭＩＭＯのＵＥと見なされ得る。
【００７５】
図９は、ユーザ／ＵＥに送信資源を割り振るプロセス900を示している。プロセス900は、ノードＢ、スケジューラ、および／または何か他のネットワークエンティティによって行われ得る。ユーザは、第１のグループおよび第２のグループを備えた複数のグループに分類される（ブロック912）。第１のグループは、ＭＩＭＯ送信において個々にスケジュールされるユーザ、すなわちＳＵ−ＭＩＭＯユーザを含み得る。第２のグループは、ＭＩＭＯ送信において一緒にスケジュールされることができるユーザ、すなわちＭＵ−ＭＩＭＯユーザを含み得る。既に説明したように、分類は半静的であり、様々な基準に基づき得る。
【００７６】
送信資源は第１および第２のグループに割り振られる（ブロック914）。送信資源はＨＡＲＱインターレースを備え、各グループは少なくとも１つのＨＡＲＱインターレースを割り振られ得る。送信資源は周波数チャネルを備え、各グループは少なくとも１つの周波数チャネルを割り振られ得る。送信資源は時間周波数資源も備え得る。資源割り振りは、各グループ内のユーザ数、各グループ内のユーザのデータ要件、ユーザの総負荷、ユーザに関連する干渉、等、またはその任意の組合せに基づき得る。資源割り振りは半静的であり得る。各グループに割り振られた送信資源についての情報は、上位層のシグナリング、同報通信チャネル、等によって、そのグループ内の各ＵＥに伝えられ得る。この情報は各ＵＥによって使用され、ＵＥからのＣＱＩ、プリコーディング行列およびベクトル、好ましいサブバンド情報、等のフィードバックを助け得る。例えば、第１および／または第２のグループのユーザ数が閾値を越えると、送信資源は再び割り振られ得る。
【００７７】
各グループに割り振られた送信資源は、グループ内のユーザのためのデータ送信に使用される（ブロック916）。送信資源は、ダウンリンクおよび／またはアップリンク送信に使用され得る。ダウンリンクにおいて、ＭＩＭＯ送信は、第１のグループに割り振られた送信資源を使用して、一度に第１のグループ内の１ユーザへ送られ得る。ＭＩＭＯ送信は、第２のグループに割り振られた送信資源を使用して、一度に第２のグループ内の複数のユーザへ送られ得る。ブランキングを用いるＨＡＲＱは、第１のグループ内のＳＵ−ＭＩＭＯユーザのためのデータ送信に使用され得る（ブロック918）。ブランキングを用いないＨＡＲＱは、第２のグループ内のＭＵ−ＭＩＭＯユーザのためのデータ送信に使用され得る（ブロック920）。
【００７８】
図１０は、ユーザに送信資源を割り振る装置1000を示している。装置1000は、ＳＵ−ＭＩＭＯユーザの第１のグループおよびＭＵ−ＭＩＭＯユーザの第２のグループを備えた複数のグループへユーザを分類する手段(モジュール1012)、第１および第２のグループに送信資源を割り振る手段(モジュール1014)、グループ内のユーザのためのデータ送信のために各グループに割り振られた送信資源を使用する手段(ブロック1016)、第１のグループ内のＳＵ−ＭＩＭＯユーザのためのデータ送信にブランキングを用いるＨＡＲＱを使用する手段(モジュール1018)、および第２のグループ内のＭＵ−ＭＩＭＯユーザのためのデータ送信にブランキングを用いないＨＡＲＱを使用する手段(モジュール1020)を含む。モジュール1012乃至1020は、プロセッサ、電子デバイス、ハードウェアデバイス、電子部品（electronics component）、論理回路、メモリ、等、またはその任意の組合せを備え得る。
【００７９】
図１１は、データ送信のために(ＵＥまたはノードＢによって)ユーザに対して行われるプロセス1100を示している。ＵＥが、ＭＩＭＯ送信のために個々にスケジュールされるユーザの第１のグループに割り当てられるか、またはＭＩＭＯ送信のために一緒にスケジュールされることができるユーザの第２のグループに割り当てられるかを決定する（ブロック1112）。データ送信のための送信資源の割り当てが受信される(ブロック1114)。割り当てられた送信資源は、ＵＥが属するグループに割り振られた送信資源から選択される。割り当てられた送信資源は、少なくとも１つのＨＡＲＱインターレース、少なくとも１つの周波数チャネル、等を備え得る。割り当てられた送信資源は、ダウンリンクおよび／またはアップリンク上でのデータ送信に使用される(ブロック1116)。ＵＥが第１のグループであるときは、ブランキングを用いるＨＡＲＱがデータ送信に使用され（ブロック1118）、およびＵＥが第２のグループであるときは、ブランキングを用いないＨＡＲＱがデータ送信に使用され得る（ブロック1120）。
【００８０】
図１２は、ユーザのデータ送信のためのＵＥまたはノードＢにおける装置1200を示す。装置1200は、ＵＥがＳＵ−ＭＩＭＯユーザの第１のグループに割り当てられるか、またはＭＵ−ＭＩＭＯユーザの第２のグループに割り当てられるかを決定する手段(モジュール1212)、データ送信のための送信資源の割り当てを受信する手段(モジュール1214)、ダウンリンクおよび／またはアップリンクにおけるデータ送信のための割り当てられた送信資源を使用する手段(モジュール1216)、ＵＥが第１のグループであるときは、データ送信にブランキングを用いるＨＡＲＱを使用する手段(モジュール1218)、およびＵＥが第２のグループであるときは、データ送信にブランキングを用いないＨＡＲＱを使用する手段(モジュール1220)を含む。モジュール1212乃至1220は、プロセッサ、電子デバイス、ハードウェアデバイス、電子部品、論理回路、メモリ、等、またはその任意の組合せを備え得る。
【００８１】
図２を再び参照すると、制御装置／プロセッサ240および／またはスケジューラ244は、ＳＵ−ＭＩＭＯおよびＭＵ−ＭＩＭＯグループにＵＥを分類し、ダウンリンクおよび／またはアップリンク送信のためにこれらのグループに送信資源を割り振り得る。ダウンリンクのための資源の割り振りは、アップリンクのための資源割り振りと同じであっても、または異なっていてもよい。制御装置／プロセッサ240および／またはスケジューラ244は、さらに、ダウンリンクおよび／またはアップリンク上でのデータ送信のためにＵＥをスケジュールし、スケジュールされたＵＥに送信資源を割り振り得る。制御装置／プロセッサ240および／またはスケジューラ244は、ＵＥの分類、資源割り振り、スケジューリング、および送信のためにプロセス900および／または他のプロセスを行い得る。各ＵＥの制御装置／プロセッサ280は、ダウンリンクおよび／またはアップリンク上でのデータ送信のためにプロセス1100および／または他のプロセスを行い得る。
【００８２】
本明細書に説明されている技術は、様々な手段によって実施され得る。例えば、これらの技術は、ハードウェア、ファームウェア、ソフトウェア、またはその組合せにおいて実施され得る。ハードウェアの実施では、ノードＢまたはＵＥにおける処理ユニットは、１つ以上の特定用途向け集積回路（application specific integrated circuit, ASIC）、ディジタル信号プロセッサ（digital signal processor, DSP）、ディジタル信号処理デバイス（digital signal processing device, DSPD）、プログラマブル論理デバイス（programmable logic devices, PLD）、フィールド プログラマブル ゲート アレイ（field programmable gate array, FPGA）、プロセッサ、制御装置、マイクロコントローラ、マイクロプロセッサ、電子デバイス、本明細書に説明されている機能を実行するように設計された他の電子ユニット、またはその組合せの中で実施され得る。
【００８３】
ファームウェアおよび／またはソフトウェアの実施において、技術は、本明細書に説明されている機能を行うモジュール(例えば、手続き、機能、等)を用いて実施され得る。ファームウェアおよび／またはソフトウェアコードは、メモリ(例えば、図２のメモリ242、282x、または282y)に記憶され、プロセッサ(例えば、プロセッサ240、280x、または280y)によって実行され得る。メモリは、プロセッサ内で、またはプロセッサの外部で実施され得る。
【００８４】
開示の上述の説明は、当業者が本発明を実行または使用できるようにするために与えられている。開示に対する様々な変更は当業者に容易に明らかになり、本明細書に定義されている一般的な原理は、開示の意図および範囲から逸脱することなく、他のバリエーションに適用され得る。したがって、開示は、本明細書に説明されている例に制限されることを意図されず、本明細書に開示されている原理および斬新な特徴に矛盾しない最も幅広い範囲にしたがう。さらに、「含む（include）」という用語が、詳細な説明または請求項の何れかにおいて使用されている範囲において、「備える（comprising）」が請求項において移行語（transitional word）として使用されるときに解釈されるように、「含む（include）」という用語は、「備える（comprising）」という用語と同様に包含する(inclusive)ことを意図している。
【図面の簡単な説明】
【００８５】
【図１】無線多元接続通信システムを示す図。
【図２】１つのノードＢおよび２つのＵＥのブロック図。
【図３】ダウンリンク上でのＨＡＲＱ送信を示す図。
【図４Ａ】ブランキングを用いる複数のデータストリームのＨＡＲＱ送信を示す図。
【図４Ｂ】ブランキングを用いない複数のデータストリームのＨＡＲＱ送信を示す図。
【図５】ＨＡＲＱインターレース構造を示す図。
【図６】ＳＵ−ＭＩＭＯおよびＭＵ−ＭＩＭＯへのＨＡＲＱインターレースの割り振りを示す図。
【図７Ａ】副搬送波構造を示す図。
【図７Ｂ】副搬送波構造を示す図。
【図８】周波数全体の資源割り振りを示す図。
【図９】ユーザのグループに送信資源を割り振るプロセスを示すフローチャート。
【図１０】グループに送信資源を割り振る装置を示す図。
【図１１】データ送信のためにユーザに対して行われるプロセスを示すフローチャート。
【図１２】データ送信のための装置を示す図。
【符号の説明】
【００８６】
100・・・無線多元接続通信システム、110・・・ノードＢ、120・・・ユーザ装置（ＵＥ）、500・・・ＨＡＲＱインターレース構造、700,710・・・副搬送波構造、900・・・ユーザ／ＵＥに送信資源を割り振るプロセス、1000・・・ユーザに送信資源を割り振る装置、1100・・・データ送信のためにユーザに対して行われるプロセス、1200・・・ユーザのデータ送信のためのＵＥまたはノードＢにおける装置。
【図１】
2009530988.tif 000004
【図２】
2009530988.tif 000005
【図３】
2009530988.tif 000006
【図４Ａ】
2009530988.tif 000007
【図４Ｂ】
2009530988.tif 000008
【図５】
2009530988.tif 000009
【図６】
2009530988.tif 000010
【図７Ａ】
2009530988.tif 000011
【図７Ｂ】
2009530988.tif 000012
【図８】
2009530988.tif 000013
【図９】
2009530988.tif 000014
【図１０】
2009530988.tif 000015
【図１１】
2009530988.tif 000016
【図１２】
2009530988.tif 000017
【国際調査報告】
2009530988.tif 000018
2009530988.tif 000019
2009530988.tif 000020